(57)【要約】【課題】ネットワークのデータ伝送状況の影響を受けることなく、接続装置を経由してスムーズにデータを送出できるようにする。【解決手段】車載ネットワークシステム１０は、第１メディア変換装置１１でＤＶカメラ１５及び第２ネットワーク１３を接続する。第２ネットワーク１３には、車載機器としてＤＶＤ装置１６、デジタルカメラ１７及びデジタルディスプレイ１８が含まれ、これら車載機器によるデータ伝送より第２ネットワーク１３の空き帯域幅が減少する。第１メディア変換装置１１は、第２ネットワーク１３の空き帯域幅を随時検知し、検知した空き帯域幅で送出できる圧縮フォーマットにＤＶカメラ１５の画像データを圧縮変換し、圧縮変換したデータを第２ネットワーク１３へ送出する。【選択図】　　　　図１
2004104529.tif 000002
【特許請求の範囲】
【請求項１】
データの送信及び／又は受信を行う電気機器が夫々含まれる複数のネットワークを車両に搭載してある接続装置で接続してなる車載ネットワークシステムにおいて、
前記接続装置は、
一のネットワークから受け付けたデータの送出先のネットワークの空き帯域幅を検知する検知手段と、
前記検知手段が検知した空き帯域幅に応じて、前記受け付けたデータのデータ量を圧縮する圧縮規格の特定を行う圧縮規格特定手段と、
該圧縮規格特定手段が特定した圧縮規格に前記受け付けたデータを圧縮変換する圧縮変換手段と、
該圧縮変換手段が圧縮変換したデータを前記送出先のネットワークへ送出する送出手段と
を備えることを特徴とする車載ネットワークシステム。
【請求項２】
前記圧縮規格特定手段は、
前記検知手段が検知した空き帯域幅及び前記受け付けたデータのデータ量を圧縮する圧縮規格を対応付けるテーブルに基づいて、該圧縮規格の特定を行う請求項１に記載の車載ネットワークシステム。
【請求項３】
前記各ネットワークの一の電気機器は、自身が含まれるネットワークの空き帯域幅を記憶しており、
前記検知手段は、
前記一の電気機器に記憶してある空き帯域幅を検知する請求項１又は請求項２に記載の車載ネットワークシステム。
【請求項４】
データの送信及び／又は受信を行う電気機器が夫々含まれる複数のネットワークを接続装置で接続し、一のネットワークから他のネットワークへデータを送出するデータ送出方法において、
前記接続装置は、
前記他のネットワークの空き帯域幅を検知し、
該検知した空き帯域幅に応じて、前記一のネットワークから受け付けたデータのデータ量を圧縮する圧縮規格を特定し、
該特定した圧縮規格に前記受け付けたデータを圧縮変換して前記他のネットワークへ送出することを特徴とするデータ送出方法。
【請求項５】
データを送受するネットワーク同士の接続を行う接続装置において、
受け付けるデータの送出先のネットワークの空き帯域幅を検知する検知手段と、
前記検知手段が検知した空き帯域幅に応じて、前記受け付けるデータのデータ量を圧縮する圧縮規格の特定を行う圧縮規格特定手段と、
該圧縮規格特定手段が特定した圧縮規格に前記データを圧縮変換する圧縮変換手段と、
該圧縮変換手段が圧縮変換したデータを送出する送出手段と
を備えることを特徴とする接続装置。
【請求項６】
前記圧縮規格特定手段は、
前記検知手段が検知する空き帯域幅及び前記受け付けるデータのデータ量を圧縮する圧縮規格を対応付けるテーブルに基づいて、該圧縮規格の特定を行う請求項５に記載の接続装置。
【発明の詳細な説明】
【０００１】
【発明の属する技術分野】
本発明は、ネットワーク同士の接続を行うものに関し、詳しくは送出先のデータ伝送状況に応じた圧縮フォーマットで一のネットワークから他のネットワークへデータを送出するものである。
【０００２】
【従来の技術】
従来、車両に配索されたネットワーク同士をメディア変換装置で接続して車載ネットワークシステムを構築し、各ネットワークに含まれる車載機器及び外部の電気機器等が送受するアナログデータ又はデジタルデータをメディア変換装置で相互に変換することが行われている。
【０００３】
各種車載機器をネットワーク的に接続することで、車載ネットワークシステムを構築することがある（特許文献１参照。）。
【０００４】
このような車載ネットワークシステムには、メディア変換装置を含ませて、車両に形成された複数のネットワーク同士を接続しデータの利用性を高めている。例えば、メディア変換装置は、一のネットワークに含まれる車載のアナログビデオ機器のアナログデータをデジタルデータに変換し、この変換したデジタルデータをパーソナル・コンピュータのようなデジタル機器が含まれる他のネットワークに送出することで、アナログビデオ機器のデータをデジタル機器でも利用可能にする。
【０００５】
また、メディア変換装置にＩＥＥＥ１３９４端子のみを有する外部機器のＤＶカメラ、及び、アナログ映像端子のみを有する車載ディスプレイを夫々接続し、ＤＶカメラのデジタル画像データをメディア変換装置でアナログ画像データに変換することにより、直接接続できない機器間でデータを伝送できるようにしている。
【０００６】
さらに、メディア変換装置は、デジタルデータの伝送を行うＩＥＥＥ１３９４に基づくようなネットワーク同士も接続できるようにしており、このようなデジタルのネットワーク間でもメディア変換装置を経由して各種デジタルデータの送受を可能にしている。
【０００７】
【特許文献１】
特開２００２−１５２２４４号公報
【０００８】
【発明が解決しようとする課題】
上述したように、従来のメディア変換装置は、デジタルデータ及びアナログデータの相互変換は可能にしているが、ＤＶ（デジタル・ビデオ）、ＭＰＥＧ２及びＭＰＥＧ４のようなデジタルデータの各種圧縮フォーマットにデジタルデータを圧縮変換することには対応していない。そのため、送出先のネットワークにおけるデータ伝送状況によっては、デジタルのネットワーク間でデジタルデータをスムーズに送出できない場合が発生する。
【０００９】
例えば、車両に配索されたデジタルのネットワークと外部機器のＤＶカメラとをメディア変換装置で接続し、ＤＶカメラのデジタル画像データを前記デジタルのネットワークに含まれるＤＶＤレコーダに伝送して録画させる状況を想定する。前記デジタルのネットワークには、ＤＶＤレコーダ以外にもデジタルカメラ及びデジタルディスプレイ等の複数のデジタル機器が含まれているとして、これらデジタル機器間でデータが送受される場合は、前記デジタルのネットワークのデータ送受に係る帯域幅の中における空き帯域幅が減少する。
【００１０】
このように空き帯域幅が減少して、ＤＶカメラのデジタルデータのデータ量に対してネットワークの空き帯域幅が不足するときは、前記ＤＶカメラのデジタルデータを、メディア変換装置を経由してＤＶＤレコーダへスムーズに送出できないと云う問題が生じる。
【００１１】
本発明は、斯かる事情に鑑みてなされたものであり、送出先のネットワークの空き帯域幅が充分でない場合でも、送出するデータを適切な圧縮フォーマットで圧縮変換することにより、スムーズなデータの送出を可能にした車載ネットワークシステム、データ送出方法、及び、接続装置を提供することを目的とする。
また、本発明は、データの圧縮変換を効率的に行う車載ネットワークシステム及び接続装置を提供することを目的とする。
【００１２】
【課題を解決するための手段】
第１発明に係る車載ネットワークシステムは、データの送信及び／又は受信を行う電気機器が夫々含まれる複数のネットワークを車両に搭載してある接続装置で接続してなる車載ネットワークシステムにおいて、前記接続装置は、一のネットワークから受け付けたデータの送出先のネットワークの空き帯域幅を検知する検知手段と、前記検知手段が検知した空き帯域幅に応じて、前記受け付けたデータのデータ量を圧縮する圧縮規格の特定を行う圧縮規格特定手段と、該圧縮規格特定手段が特定した圧縮規格に前記受け付けたデータを圧縮変換する圧縮変換手段と、該圧縮変換手段が圧縮変換したデータを前記送出先のネットワークへ送出する送出手段とを備えることを特徴とする。
【００１３】
第２発明に係る車載ネットワークシステムは、前記圧縮規格特定手段が、前記検知手段が検知した空き帯域幅及び前記受け付けたデータのデータ量を圧縮する圧縮規格を対応付けるテーブルに基づいて、該圧縮規格の特定を行うことを特徴とする。
第３発明に係る車載ネットワークシステムは、前記各ネットワークの一の電気機器は、自身が含まれるネットワークの空き帯域幅を記憶しており、前記検知手段は、前記一の電気機器に記憶してある空き帯域幅を検知することを特徴とする。
【００１４】
第４発明に係るデータ送出方法は、データの送信及び／又は受信を行う電気機器が夫々含まれる複数のネットワークを接続装置で接続し、一のネットワークから他のネットワークへデータを送出するデータ送出方法において、前記接続装置は、前記他のネットワークの空き帯域幅を検知し、該検知した空き帯域幅に応じて、前記一のネットワークから受け付けたデータのデータ量を圧縮する圧縮規格を特定し、該特定した圧縮規格に前記受け付けたデータを圧縮変換して前記他のネットワークへ送出することを特徴とする。
【００１５】
第５発明に係る接続装置は、データを送受するネットワーク同士の接続を行う接続装置において、受け付けるデータの送出先のネットワークの空き帯域幅を検知する検知手段と、前記検知手段が検知した空き帯域幅に応じて、前記受け付けるデータのデータ量を圧縮する圧縮規格の特定を行う圧縮規格特定手段と、該圧縮規格特定手段が特定した圧縮規格に前記データを圧縮変換する圧縮変換手段と、該圧縮変換手段が圧縮変換したデータを送出する送出手段とを備えることを特徴とする。
【００１６】
第６発明に係る接続装置は、前記圧縮規格特定手段は、前記検知手段が検知する空き帯域幅及び前記受け付けるデータのデータ量を圧縮する圧縮規格を対応付けるテーブルに基づいて、該圧縮規格の特定を行うことを特徴とする。
【００１７】
第１発明、第４発明及び第５発明にあっては、接続装置が、受け付けたデータの送出先となるネットワークの空き帯域幅を検知して、この検知した空き帯域幅に応じた圧縮規格で受け付けたデータを圧縮変換するので、送出先のネットワークの伝送状況に左右されることなく、スムーズにネットワーク間でデータを送受できる。
【００１８】
また、接続装置が、データを圧縮するデジタルの圧縮規格（圧縮フォーマット）には、動画データに関してはＤＶ、ＭＰＥＧ２及びＭＰＥＧ４等があり、静止画データに関してはＪＰＥＧ及びＪＰＥＧ２０００等があり、送受対象のデータの種類、及び、送出先の空き帯域幅等に応じて適切な圧縮規格を特定する。例えば、送出するデータが動画のデジタルデータの場合であり、データの画質が重視されるときは、空き帯域幅が許す限り圧縮率の小さい順となるＤＶ、ＭＰＥＧ２、ＭＰＥＧ４等の順番で圧縮規格が特定される。
【００１９】
また、送出する動画のデジタルデータのデータの伝送速度が重視されるときは、上記とは逆にＭＰＥＧ４、ＭＰＥＧ２、ＤＶ等の順番で圧縮規格が特定される。なお、ＭＰＥＧ２は、ＭＰＥＧ２の中にも圧縮率が相違するものが数種存在するので、ＭＰＥＧ２に対しては種類の特定も行うようにしてもよい。さらに、デジタルのネットワークでは、動画データの送受に使用される帯域幅と静止画データの送受に使用される帯域幅とが相違するが、これら相違する各帯域幅において本発明は適用可能である。
【００２０】
第２発明及び第６発明にあっては、圧縮規格の特定をテーブルに基づいて行うので、データの圧縮変換を効率的に行うことができる。このテーブルは、検知された空き帯域幅に各種圧縮規格を対応付ける内容になっており、具体的には、各空き帯域幅の数値毎にＤＶ、ＭＰＥＧ２、ＭＰＥＧ４、ＪＰＥＧ及びＪＰＥＧ２０００等の各種圧縮規格を対応付けるものである。なお、このテーブルは、データの送出に対してデータ品質の優先順又は伝送速度の優先順に圧縮規格を対応付ける内容にしてもよい。
【００２１】
第３発明にあっては、各ネットワークの一の電気機器が記憶する空き帯域幅を、接続装置の検知手段が検知するので、空き帯域幅の検知を容易且つ確実に行うことができる。このようにネットワークに含まれる一の電気機器が空き帯域幅を記憶する状況としては、ＩＥＥＥ１３９４に基づいてシステムが構築されており、前記一の電気機器がＩＥＥＥ１３９４おけるＩＲＭ（Ｉｓｏｃｈｒｏｎｏｕｓ
Ｒｅｓｏｕｒｃｅ　Ｍａｎａｇｅｒ）として機能する場合が相当する。
【００２２】
ＩＲＭとして機能する電気機器は、自身が含まれるネットワークのデータ伝送状況の各項目を随時管理しており、この管理している内容を自身が有するメモリのＩＥＥＥ１３９４で規定される各種レジスタに記憶する。よって、ネットワークの空き帯域幅もＩＲＭの電気機器の特定のレジスタに記憶されているので、この特定のレジスタの中身を確認することにより、容易に空き帯域幅を検知できる。
【００２３】
【発明の実施の形態】
以下、本発明をその実施の形態を示す図面に基づいて説明する。
図１は、本発明の実施形態に係る車載ネットワークシステム１０の全体構成図である。車載ネットワークシステム１０は、車両Ｓに構築されたシステムであり、車載の接続装置に相当する第１メディア変換装置１１で、ＩＥＥＥ１３９４に対応した外部機器であるＤＶカメラ１５を含む第１ネットワーク１２及びＩＥＥＥ１３９４に対応した第２ネットワーク１３を接続している。また、車載ネットワークシステム１０は、第１及び第２メディア変換装置１１、１４にアナログケーブル１９ａ、１９ｂでアナログディスプレイ２０及びアナログビデオカメラ２１も夫々接続している。
【００２４】
第２ネットワーク１３はＩＥＥＥ１３９４に対応した車載機器としてＤＶＤ装置１６、デジタルカメラ１７及びデジタルディスプレイ１８を含んでおり、各機器１６〜１８を計４本のケーブル１３ａ〜１３ｄによりデイジーチェーン方式で接続している。各ケーブル１３ａ〜１３ｄは、１秒間に１００Ｍビットの伝送が可能なものが適用されており、第２ネットワーク１３は、動画データ等のリアルタイム伝送用に１００μｓの帯域幅を確保し、静止画データの伝送及び管理用等に２５μｓの帯域幅を確保している。
【００２５】
ＩＥＥＥ１３９４はデータをパケットで送受しており、デジタルデータはフォーマットの種類によりパケットサイズが相違する。例えば、ＤＶフォーマットのパケットサイズは固定長で約４８０バイトであり、帯域幅で表すと約４０μｓになることから、第２ネットワーク１３の１００μｓの帯域幅では、ＤＶフォーマットのパケットを２個伝送した状態で空き帯域幅が約２０μｓになる。
【００２６】
第１ネットワーク１２のＤＶカメラ１５は、第１ケーブル１２ａで第１メディア変換装置１１と接続されて、非圧縮のデジタルデータの送信及びＤＶ、ＭＰＥＧ２、ＭＰＥＧ４等の圧縮フォーマット（圧縮規格）のデジタルデータ及び非圧縮のデジタルデータの受信を行う。
【００２７】
第２ネットワーク１３のＤＶＤ装置１６はＤＶＤ（Ｄｉｇｉｔａｌ　Ｖｅｒｓａｔｉｌｅ　Ｄｉｓｃ）のデジタルデータの送信を行うと共に、デジタルデータを受信してＤＶＤにデジタルデータの記録を行うものであり、第２ケーブル１３ａで第１メディア変換装置１１に接続されている。なお、ＤＶＤ装置１６は非圧縮のデジタルデータ及びＤＶ、ＭＰＥＧ２、ＭＰＥＧ４、ＪＰＥＧ等の圧縮フォーマットのデジタルデータの送受信が可能である。
【００２８】
デジタルカメラ１７は第３ケーブル１３ｂでＤＶＤ装置１６に接続されて、撮像したデジタル画像データの送信を行う。さらに、デジタルディスプレイ１８は第４ケーブル１３ｃを介してデジタルカメラ１７に接続されると共に第５ケーブル１３ｄを介して第２メディア変換装置１４に接続されて、非圧縮のデジタルデータ及びＤＶ、ＭＰＥＧ２、ＭＰＥＧ４、ＪＰＥＧ等の圧縮フォーマットのデジタルデータの受信を行い、受信したデータを表示する。
【００２９】
また、第１ネットワーク１２のＤＶカメラ１５及び第２ネットワーク１３における車載機器の中のいずれか一台は、ＩＥＥＥ１３９４に基づきＩＲＭ（Ｉｓｏｃｈｒｏｎｏｕｓ　Ｒｅｓｏｕｒｃｅ　Ｍａｎａｇｅｒ）として機能し、各デジタルネットワーク１２、１３におけるリソース（資源）を随時管理する。このようにＩＲＭとして機能する機器は、管理内容を自身が有するメモリに記憶し、各ネットワーク１２、１３の空き帯域幅もメモリ内の特定のレジスタ（ｂａｎｄ　ｗｉｄｔｈ　ｒｅｇｉｓｔｅｒ）に記憶している。
【００３０】
一方、図２は第１メディア変換装置１１の内部構成を示しており、本実施形態に係る第１メディア変換装置１１は、アナログデータ及びデジタルデータの相互変換を行うことに加えて、ＩＥＥＥ１３９４のデジタルデータをＤＶ及びＭＰＥＧ２等の各種圧縮フォーマットに圧縮変換する。
【００３１】
第１メディア変換装置１１の内部は、１３９４Ｉ／Ｆ（インタフェース）部２５と制御部２６に大別され、１３９４Ｉ／Ｆ部２５はファィ（ＰＨＹ）ＬＳＩ２７、リンク制御ＬＳＩ２８、Ａ／Ｄ・Ｄ／Ａデータ変換部２９及び画像ＲＡＭ３０を備えており、制御部２６はＲＯＭ３１、ＣＰＵ３２及びＲＡＭ３３を備えている。
【００３２】
１３９４Ｉ／Ｆ部２５のファイＬＳＩ２７は、第１ケーブル１２ａと接続される第１メディア変換装置１１の第１接続ポート１１ａ及び第２ケーブル１３ａと接続される第２接続ポート１１ｂと接続されており、各接続ポート１１ａ、１１ｂを介してデジタルデータの送出を行う送出手段及び受付を行う受付手段として機能する。また、ＩＥＥＥ１３９４はデータをシリアルで伝送するので、ファイＬＳＩ２７は各接続ポート１１ａ、１１ｂから受け付けたシリアルのデータをパラレルに変換すると共に、リンク制御ＬＳＩ２８から受け付けたパラレルのデータをシリアルに変換する機能も有する。
【００３３】
ファイＬＳＩ２７と接続されたリンク制御ＬＳＩ２８は、内蔵されたプログラムに基づいてファイＬＳＩ２７との間でデジタルデータの送受を行うと共に、受け付けたデータの圧縮変換処理のためにＣＰＵ３２との間でも変換前後のデータの送受を行う。なお、デジタル及びアナログのデータ変換が行われる場合はＡ／Ｄ・Ｄ／Ａデータ変換部２９との間でもデータの送受を行う。また、リンク制御ＬＳＩ２８は画像ＲＡＭ３０を接続しており、処理中のデータを画像ＲＡＭ３０で一時的に記憶するようにしている。
【００３４】
Ａ／Ｄ・Ｄ／Ａデータ変換部２９はＩＥＥＥ１３９４のデジタルデータ及びアナログデータの変換を行い、第１メディア変換装置１１のアナログ出力ポート１１ｃと接続されて、第１メディア変換装置１１が受け付けたＩＥＥＥ１３９４のデジタルデータをアナログデータに変換しアナログ出力ポート１１ｃから送出する。なお、本実施形態では、アナログ出力ポート１１ｃにアナログケーブル１９ａを介してアナログディスプレイ２０を接続している。
【００３５】
また、制御部２６のＣＰＵ３２は、第２ネットワーク１３の現在の空き帯域幅を検知する検知手段、この検知手段が検知した空き帯域幅に応じて、受け付けたデータのデータ量を圧縮する圧縮フォーマット（圧縮規格）の特定を行う圧縮規格特定手段、及び、特定された圧縮規格に受け付けたデータを圧縮変換する圧縮変換手段として機能する。
【００３６】
制御部２６のＲＯＭ３１は、ＣＰＵ３２を上述した検知手段、圧縮規格特定手段及び圧縮変換手段として作動させるプログラムを記憶すると共に、ＣＰＵ３２の圧縮規格特定手段が圧縮規格を特定する際に参照するテーブルも多数記憶している。
【００３７】
このテーブルは、各ネットワーク１２、１３の空き帯域幅及び各ネットワークから受け付けたデータのデータ量を圧縮する圧縮フォーマットを対応付けるものとなっており、動画データ及び静止画データ毎に規定されている。動画データでは空き帯域幅の数値範囲毎にＤＶ、ＭＰＥＧ２及びＭＰＥＧ４等が対応付けられており、静止画データでも空き帯域幅の数値範囲毎にＪＰＥＧ及びＪＰＥＧ２０００等が対応付けられている。なお、制御部２６のＲＡＭ３３は、ＣＰＵ３２の変換処理に係るデータを一時的に記憶する。
【００３８】
図３は、データの受付から変換したデータの送出に係るリンク制御ＬＳＩ２８及びＣＰＵ３２に対応するソフトウェア構成を示している。リンク制御ＬＳＩ２８はプログラムにより、ソフトウェア的にはデータ受付処理部３５及びデータ送出処理部３６として作動する。また、ＣＰＵ３２はプログラムによりソフトウェア的には１３９４データ管理部３７、帯域幅検知処理部３８、圧縮フォーマット特定処理部３９及び圧縮フォーマット変換処理部４０として作動する。
【００３９】
リンク制御ＬＳＩ２８のデータ受付処理部３５は、ファイＬＳＩ２７からデジタルデータを受け付けた場合、受け付けたデジタルデータがＩＥＥＥ１３９４に基づくフォーマットであるか、ＤＶ又はＭＰＥＧ等のフォーマットであるかを確認する。さらに、データ受付処理部３５は、ＣＰＵ３７の１３９４データ管理部３７を呼び出して受け付けたデジタルデータを１３９４データ管理部３７へ送出する処理も行う。
【００４０】
ＣＰＵ３２の１３９４データ管理部３７はメイン処理部として作動し、デジタルデータを受け付けた場合、帯域幅検知処理部３８、圧縮フォーマット特定処理部３９及び圧縮フォーマット変換処理部４０を夫々呼び出してデータの圧縮変換に係る各種処理の進行制御を行う。
【００４１】
帯域幅検知処理部３８は上述した検知手段として作動するものであり、受け付けたデジタルデータの送出先となる第２ネットワーク１３に含まれる各車載機器１６〜１８の中でＩＲＭとして機能する機器の空き帯域幅を記憶するレジスタの中身を検知している。また、帯域幅検知処理部３８は検知した空き帯域幅の数値を１３９４データ管理部３７へ通知する。
【００４２】
圧縮フォーマット特定処理部３９は上述した圧縮規格特定手段として作動するものであり、１３９４データ管理部３７から通知される空き帯域幅を取得して、図２に示すＲＯＭ３１に記憶されているテーブルとの対応付けにより圧縮フォーマットを特定する。また、圧縮フォーマット特定処理部３９は特定した圧縮フォーマットを１３９４データ管理部３７へ通知する。
【００４３】
圧縮フォーマット変換処理部４０は上述した圧縮変換手段として作動するものであり、１３９４データ管理部３７からデジタルデータを受け付けると共に特定された圧縮フォーマットを取得し、この取得した圧縮フォーマットにデジタルデータを圧縮変換する。
【００４４】
最後に、リンク制御ＬＳＩ２８のデータ送出処理部３６は、圧縮フォーマット変換処理部４０から圧縮変換されたデジタルデータを取得して、取得した変換後のデータをファイＬＳＩ２７へ送出している。なお、このようなソフトウェア的処理を行う第１メディア変換装置１１は、検知した空き帯域幅がパケットを伝送するのに充分確保されている時は、圧縮変換処理を行うことなく受け付けたデジタルデータをそのまま送出する。
【００４５】
また、図１に示す第２メディア変換装置１４は、本実施形態では第２ネットワーク１３を流れるデジタルデータとアナログケーブル１９ｂで接続されたアナログビデオカメラ２１のアナログデータとを変換する機能を有するものを適用している。なお、第２メディア変換装置１４に別のデジタルのネットワークを接続して、新たなネットワークと第２ネットワーク１３との間でデジタルデータをスムーズに伝送する場合、さらに、取り込んだアナログデータから変換されたデジタルデータを第２ネットワーク１３の空き帯域幅の状況に応じた圧縮フォーマットで伝送する場合等には、第２メディア変換装置１４も第１メディア変換装置１１と同様の構成のものを適用する。
【００４６】
次に、上述した車載ネットワークシステム１０において、ＤＶカメラ１５のデジタルデータを第２ネットワーク１３のデジタルディスプレイ１８で表示する場合のデータ送出方法に係る一連の処理を、図４のフローチャートに基づき説明する。なお、車載ネットワークシステム１０では、デジタルカメラ１７のデジタルデータを第１メディア変換装置１１で変換してアナログディスプレイ２０で表示すると共に、アナログビデオカメラ２１のアナログデータを第２メディア変換装置１４で変換してＤＶＤ装置１６で記録し、その後、デジタルカメラ１７の撮像した映像の表示のみを行っているものとする。
【００４７】
先ず、第１メディア変換装置１１は、ＤＶカメラ１５からデジタルのデータの受付があるか否かを判断している（Ｓ１）。データの受付が無い場合（Ｓ１：ＮＯ）、データの待ち受け状態になり、データの受付がある場合（Ｓ１：ＹＥＳ）、受け付けたデータのフォーマットを図３に示すリンク制御ＬＳＩ２８のデータ受付処理部３５で確認する（Ｓ２）。
【００４８】
次に、第１メディア変換装置１１は、図３に示すＣＰＵ３２の帯域幅検知処理部３８により第２ネットワーク１３でＩＲＭとして機能する車載機器の特定のレジスタの中身を確認して第２ネットワーク１３の空き帯域幅を検知する（Ｓ３）。このように検知した空き帯域幅に応じて、図３に示すＣＰＵ３２の圧縮フォーマット特定処理部３９がＲＯＭ３１に記憶されているテーブルより所要の圧縮フォーマットを特定する（Ｓ４）。
【００４９】
この圧縮フォーマットの特定では、最初の状態では上述したように第２ネットワーク１３にはデジタルカメラ１７のデジタルデータ及びアナログビデオカメラ２１の変換されたデータが伝送されて第２ネットワーク１３の空き帯域幅が小さくなっているので、圧縮率の高いＭＰＥＧ４が特定される。
【００５０】
圧縮フォーマットが特定された後は、図３に示すＣＰＵ３２の圧縮フォーマット変換処理部４０で特定された圧縮フォーマット（ＭＰＥＧ４）に、受け付けたデジタルデータを圧縮変換する（Ｓ５）。第１メディア変換装置１１は、この圧縮変換したデータを図３のリンクデータ送出処理部３６の制御に基づき、図２のファイＬＳＩ２７から第２ネットワーク１３へ送出し（Ｓ６）、第２ネットワーク１３に含まれるデジタルディスプレイ１８で送出したデータを表示する。
【００５１】
また、第１メディア変換装置１１は、デジタルデータの受付が継続しているかも判断しており（Ｓ７）、デジタルデータの受付が継続している場合（Ｓ７：ＹＥＳ）は、空き帯域幅を検知する段階（Ｓ３）へ戻り、刻々と変化する空き帯域幅に応じて圧縮フォーマットを特定する。
【００５２】
例えば、上述したように第２ネットワーク１３では、途中からアナログビデオカメラ２１の変換されたデータの伝送が終了し、デジタルカメラ１７からデジタルデータのみが送出されている状態になるので、空き帯域幅が上述した最初の状態より大きくなる。よって、第１メディア変換装置１１は、大きくなった空き帯域幅に応じて特定する圧縮フォーマットをＭＰＥＧ４から圧縮率の緩やかなＭＰＥＧ２に変更して圧縮変換を行い、デジタルディスプレイ１８で表示される映像の画質を良好にしている。
【００５３】
また、第１メディア変換装置１１でのデジタルデータの受付が継続していない場合（Ｓ７：ＮＯ）、データ送出に係る処理を終了している。
【００５４】
このように第１メディア変換装置１１は、データの送出先となる第２ネットワーク１３の空き帯域幅を随時検知して、受け付けたデータを適切な圧縮フォーマットに圧縮変換するため、第２ネットワーク１３における伝送状況に左右されることなく、スムーズなデータの伝送を実現している。なお、上述した伝送処理の説明は、動画データに対して行ったが、静止画データに対しても伝送先のネットワークの静止画データに係る空き帯域幅の状況に応じて、適切な圧縮フォーマットでデータを伝送することが可能である。
【００５５】
また、本発明に係る車載ネットワークシステムは、各種変形例の適用が可能である。例えば、ＲＯＭ３１で記憶するテーブルは、良質なデータ伝送のため、基本的に空き帯域幅に対して最も圧縮率の小さい圧縮フォーマットを対応付けるようにしているが、伝送速度を優先する場合は、圧縮率が大きい圧縮フォーマットを対応付けるテーブルもＲＯＭ３１で記憶し、状況に応じてテーブルを使い分けるようにしてもよい。
【００５６】
図５は、一つの変形例の車載ネットワークシステム５０の構成を示しており、車載ネットワークシステム５０は、車両Ｓに搭載されたメディア変換装置５１で複数の電気機器を夫々含む第１ネットワーク５２及び第２ネットワーク５３を接続すると共に、アナログディスプレイ５８も接続している。第１ネットワーク５２にはＤＶカメラ５４及びデジタルディスプレイ５５が含まれており、第２ネットワーク５３にはＤＶＤ装置５６及びデジタルカメラ５７が含まれているので、データの伝送状況により各ネットワーク５２、５３で空き帯域幅が小さくなる状況が夫々生じる。
【００５７】
よって、変形例のメディア変換装置５１は、ハード的には図２に示す構成と同様にしているが、ソフトウェア的には図３に示す帯域幅検知処理部に相当する処理部が、第１及び第２ネットワーク５２、５３の何れの空き帯域幅も検知可能にして、何れのネットワーク５２、５３に対しても圧縮変換したデータを送出可能にし、相方向にスムーズにデータを送出できるようにしている。
【００５８】
【発明の効果】
以上に詳述した如く、第１発明、第４発明及び第５発明にあっては、接続装置が、検知したデータ送出先のネットワークの空き帯域幅に応じて特定した圧縮規格に受け付けたデータを圧縮変換するので、データ送出先のネットワークの伝送状況の影響を受けることなく、データをスムーズに送出できる。
【００５９】
第２発明及び第６発明にあっては、空き帯域幅及び圧縮規格を夫々対応づけるテーブルに基づいて圧縮規格の特定を行うので、効率的にデータの圧縮変換処理を行うことができる。
第３発明にあっては、各ネットワークの一の電気機器がネットワークの伝送状況を管理して空き帯域幅を記憶すると共に、この記憶される空き帯域幅を接続装置の検知手段が検知するので、空き帯域幅を容易に検知できる。
【図面の簡単な説明】
【図１】本発明の実施形態に係る車載ネットワークシステムの全体構成図である。
【図２】接続装置の内部構成図である。
【図３】接続装置におけるソフトウェア構成を示すブロック図である。
【図４】本発明のデータ送出方法に係る一連の処理を示すフローチャートである。
【図５】変形例に係る車載ネットワークシステムの全体構成図である。
【符号の説明】
１０　車載ネットワークシステム
１１　第１メディア変換装置
１２　第１ネットワーク
１３　第２ネットワーク
１５　ＤＶカメラ
１６　ＤＶＤ装置
１７　デジタルカメラ
１８　デジタルディスプレイ
２７　ファイＬＳＩ
２８　リンク制御ＬＳＩ
３２　ＣＰＵ
３８　帯域幅検知処理部
３９　圧縮フォーマット特定処理部
４０　圧縮フォーマット変換処理部
Ｓ　車両
【図１】
2004104529.tif 000003
【図２】
2004104529.tif 000004
【図３】
2004104529.tif 000005
【図４】
2004104529.tif 000006
【図５】
2004104529.tif 000007